(57)【要約】      （修正有）【課題】車両の既設の動作表示用ランプのアラーム効果の不足を補い、既設の動作表示用ランプのアラーム効果を格段に向上させるアラーム装置を提供する。【解決手段】無線受信機と無線発信機とアラームランプから成る。アラームランプは車体のよく見える箇所に設置される。無線発信機は車両のいずれかの動作表示用ランプの起動システムに接続されることが望ましい。【効果】車両の本来の動作表示用ランプの起動中に無線発信機に信号を発射させる。無線受信機がその信号を受信すると、アラームランプが発光する。動作表示用ランプと同期して発光するので、アラーム効果が向上し、車両運行の安全性が高まる。【選択図】図１
0003109364.tif 000002
【実用新案登録請求の範囲】
【請求項１】
所定の識別符号を含む信号を発信する無線発信機と、前記所定の識別符号を含む信号を受信したとき駆動信号を出力する無線受信機と、前記駆動信号により電源を供給されて点灯するアラームランプとからなる車両用補助アラーム装置。
【請求項２】
無線発信機は、車両のいずれかの動作表示用ランプの起動システムに接続され、動作表示用ランプの起動と同期して所定の識別符号を含む信号を発信することを特徴とする請求項１に記載の車両用補助アラーム装置。
【請求項３】
無線発信機は、車両の複数の動作表示用ランプの起動システムに接続され、各動作表示用ランプに対応して異なる周波数の識別符号を含む信号を発信するものであり、各アラームランプに対応する無線受信機は前記いずれかの周波数の識別符号を含む信号を受信するものであることを特徴とする請求項１に記載の車両用補助アラーム装置。
【請求項４】
請求項１、２又は３に記載の車両用補助アラーム装置において、前記アラームランプは、無線受信機と、ランプ群、電源を収容するモジュールに形成されている車両用補助アラーム装置。
【考案の詳細な説明】
【技術分野】
【０００１】
本考案は、車両用補助アラーム装置に関する。
【背景技術】
【０００２】
いずれの車両も、進行方向照明用ランプを取り付けているほか、方向指示ランプ、ブレーキランプ、バックランプなど数多の動作表示用ランプを備えている。
【０００３】
図５に示すように、車両の照明用の前照灯１は、大きいランプの照明輝度に基づいて、照明レベルの優劣表現を決める。動作表示用ランプは、例えば、方向指示ランプ２１ならば、輝度の要求以外、キーポイントは車両に対する取付位置が良いかどうか、すなわち、視認性の良否にあると言える。特に、走行中の車両は絶えず視認される角度が変化するので、方向指示ランプ２１の車両に取り付けた箇所がベストな位置かどうかが重要である。ブレーキランプ２２ならば、主に、車両がブレーキをかけて減速中に、適時に発光してアラーム効果を発揮して後方車両の追突を防ぐものであるから、方向指示ランプ２１と同様に、輝度の外、車両に対する取付け位置も大切である。
【考案の開示】
【考案が解決しようとする課題】
【０００４】
しかし、前掲の動作表示用ランプの取付に関しては、いつも車両の形体による制限があるために、苦し紛れに行われる取付位置が適切な位置ではないという問題が出て来る。特に、図６に例示するように、大型車両の場合は、死角が発生しやすいため、表示効果・アラーム効果が制限され、最悪の場合はアラーム効果の不足により、事故を招き易いという問題がある。
【０００５】
したがって、本考案が解決しようとする第一の課題は、既設の動作表示用ランプのアラーム効果の不足を補う車両用補助アラーム装置を提供することにある。本考案が解決しようとする第二の課題は、車両の既設の動作表示用ランプの起動と同期してアラームランプを発光させることにより、アラーム効果を格段に向上させる車両用補助アラーム装置を提供することにある。
【課題を解決するための手段】
【０００６】
本考案の第一の課題を解決し得る車両用補助アラーム装置は、所定の識別符号を含む信号を発信する無線発信機と、その識別符号を含む信号を受信したとき駆動信号を出力する無線受信機と、その駆動信号により電源を供給されて点灯するアラームランプからなる。アラームランプは、車両の車体のいずれの方向からも視認可能な顕著な箇所に設置さる。無線発信機が信号を発射すると、無線受信機がその信号を受信して、ランプを点灯させることにより、アラーム効果を発揮する。
【０００７】
本考案の第二の課題を解決し得る車両用補助アラーム装置は、無線発信機と無線受信機とアラームランプからなる上記車両用補助アラーム装置において、無線発信機を車両のいずれかの既設の動作表示用ランプの起動システムに接続して構成されている。車両の動作表示用ランプの起動システムを起動させると、無線発信機が信号を発射する。無線受信機はその信号を受信して、アラームランプを発光させる。
【考案の効果】
【０００８】
請求項１の考案によれば、既設の動作表示用ランプの発光のほかに、視認性に優れた位置に新設したアラームランプが発光するので、その補助効果によりアラーム効果が格段に向上する。とくに大型車両その他の死角が生じやすい車両に用いて有効である。
【０００９】
請求項２の考案によれば、動作表示用ランプが起動されると、これと同時にアラームランプが発光するので、アラーム効果がさらに向上し、車両走行の安全性が高められる。
【考案を実施するための最良の形態】
【００１０】
次に、本考案の実施の形態について、図１ないし図４の図面参照しながら説明する。図１は本考案の第一実施例の構成を示すブロック図、図２は本考案による動作表示用ランプのモージュールの一例を示す斜視図、図３は本考案の実施例を説明するブロック図、図４は本考案の他の応用例を説明する図である。
【００１１】
本考案による車両用補助アラーム装置は、図３に示すように、アラームランプ３と、無線発信機４とで構成されている。アラームランプ３は、無線受信機３１と、ランプ群３２と、電源３３とを含む。無線受信機３１は、所定周波数のパスワードなどの識別符号を受信する。この無線受信機３１は、ランプ群３２が接続されていて、所定周波数の識別符号を所定の信号を受信したときは、駆動信号を出力して、ランプ群に電源を供給して点灯させるようになっている。ランプ群３２は一つ又は一つ以上のランプから構成される。それはフィラメント電球又はＬＥＤ（発光ダイオード）を採用し、ニーズに応じて、赤い色、黄色、又は他の色を選択する。その発光方式は、連続発光又は間欠発光のいずれでも良い。なお、電源３３は電力をアラームランプ３に供給する。
【００１２】
無線発信機４は、所定周波数で識別符号を発信する。勿論、無線発信機４の発信する識別符号及び周波数は予め設定されるので、対応する所定の無線受信機３１がこれを受信できる。しかも、十分の発信電力強度を持つので、無線信号の良い受信効果を確保する。
【００１３】
アラームランプ３は、図２に一実施例を示すようなモジュールに製作することができる。つまり、ベースＡに、無線受信機３１、ランプ群３２、電源３３を収容する。ベースＡは両面テープ、マグネット又はねじで、車両のいずれかの視認性に優れた適切な位置にセットされ、既設の方向指示ランプ、ブレーキランプなど各動作表示用ランプの訴求効果不足を補う。
【００１４】
図３に示すように、無線発信機４は車両のいずれかの動作表示用ランプ（パイロットランプ）５の起動システムに接続することが望ましい。無線発信機４を動作表示用ランプ５の中の例えば方向指示ランプに接続する場合は、方向指示ランプを起動する時に、同時に無線発信機４が無線信号を発射して、アラームランプ３の無線受信機３１へ伝送する。そのときに、方向指示ランプが本来の機能として発光するが、アラームランプ３のランプ群３２も同時に発光するので、車両の動作表示用ランプのアラーム効果が強化される。
【００１５】
図４に示すように、一つの無線発信機４は、同時に車両の複数の動作表示用ランプ５の起動システムに接続してもよい。無線発信機４の電子回路の設計により、同時に複数の動作表示用ランプ５の起動システムに対応でき、複数のアラームランプ３はこれに合わせて、車体の複数位置に取り付けられる。各アラームランプ３の無線受信機３１の受信周波数及び識別符号を、無線発信機４の起動システムに対応して合わせることにより、応用範囲及び機能を広めることができる。
【００１６】
要するに、本考案のアラームランプ３は車両の視認性が得られる任意の位置に取り付けられる。無線発信機４が車両の本来の各動作表示用ランプ５の制御を受け、同時に無線信号を発射する。そうすると、アラームランプ３は車両の本来の各動作表示用ランプ５と同期して発光するので、既設の動作表示用ランプのアラーム効果が著しく補強されるから、車両走行の安全度が大幅に高揚される
【図面の簡単な説明】
【００１７】
【図１】本考案の第一実施例の構成を示すブロック図。
【図２】本考案による動作表示用ランプのモージュールの一例を示す斜視図。
【図３】本考案の実施例を説明するブロック図。
【図４】本考案の他の応用例を説明する図。
【図５】従来の普通車両の各動作表示用ランプの設置例を示す斜視図。
【図６】従来の大型車両の各動作表示用ランプの設置例を示す斜視図。
【符号の説明】
【００１８】
１      照明用ヘッドランプ
２、５  動作表示用ランプ      
２１、５１  方向指示ランプ
２２    ブレーキランプ
３      アラームランプ        
３１    無線受信機
４      無線発信機            
３２    ランプ群
【図１】
0003109364.tif 000003
【図２】
0003109364.tif 000004
【図３】
0003109364.tif 000005
【図４】
0003109364.tif 000006
【図５】
0003109364.tif 000007
【図６】
0003109364.tif 000008